(57)【特許請求の範囲】
【請求項１】
上方に突出する結合スタッドに相補的な結合手段を有する玩具組立要素と相互連結するための前記結合スタッドを配したほぼ平坦な組立面を備える真空成形された玩具組立板であって、
前記玩具組立板が前記玩具組立板へある高さを付与するために下方に突出するスペーサ要素をも具備し、
前記スペーサ要素が、下方に延在するとともに最下端において閉塞し最上端において開放し、
前記スペーサ要素の配置が前記結合スタッドからずれ、
玩具組立板はその周囲に沿って、前記スペーサ要素と同じ下方長さを有する下方に突出するフランジを具備することを特徴とする真空成形玩具組立板。
【請求項２】
請求項１に記載の真空成形された玩具組立板において、前記上方に突出する結合スタッドは列状に配置され、かつ下方に突出するスペーサ要素は結合スタッドの列の間の少なくとも幾つかの平坦領域を遮断するように配置されることを特徴とする真空成形玩具組立板。
【請求項３】
請求項１あるいは２に記載の真空成形された玩具組立板において、下方に突出するスペーサ要素は結合スタッドの形状を取り、相補的な結合手段を有する玩具組立要素と相互結合されることを特徴とする真空成形玩具組立板。
【請求項４】
請求項１ないし３のいずれか１項に記載の真空成形された玩具組立板において、前記上方に突出する前記結合スタッドの各々は、円柱形の結合スタッドの形状を取ることを特徴とする真空成形玩具組立板。
【請求項５】
請求項４に記載の真空成形された玩具組立板において、前記円柱形の結合スタッドの各々を囲むように上方に突出した外側結合領域を備えることを特徴とする真空成形玩具組立板。
【発明の詳細な説明】
【０００１】
本発明は、ほぼ平坦な組立面を備える真空整形すなわち真空成形された玩具組立板に関する。同組立面は結合手段を具備し、相補的結合手段を有する玩具組立要素と相互結合される。玩具組立板はまた、最下端において閉塞し最上端において開放するそれぞれスカートの形状を取る下方に突出するスペーサ要素をも具備して、同玩具組立板へ一定の高さを付与する。
【０００２】
真空整形された玩具組立板は、多くの場合平坦な下側と、例えば円筒形結合スタッド形式の結合手段を具備する頂表面とを有するものが一般に知られている。遊戯中これらの玩具組立板は面支持体上に置かれ、さらなる玩具組立要素から成るもっと広範囲の構造物を組み立てる基板として用いられる。
【０００３】
組立板は真空整形に適した比較的容易に撓むプラスチック材から作られ、また結合スタッドに適当な耐性を維持するため比較的薄い材料厚で作られるため、完成品の組立板もまた容易に曲げることができる。
【０００４】
真空整形は比較的安価な製造方法である。この方法を、上方突出結合スタッドを有する平坦面から成り、また一定の高さと剛性とを備える玩具組立板の製造に使用できることが望ましい。このような玩具組立板であれば、典型的には射出成型で作られる他の玩具組立要素の好首尾な代替あるいは補充品となるだろう。
【０００５】
ＤＫ−Ｂ−１２９，０８０は薄いプラスチック材から作られる玩具組立板に言及し、同玩具組立板に両側から突出する円筒形の結合スタッド形式の結合手段を具備させている。この従来技術の玩具組立板は、元来小部分に切断し小型の玩具組立要素を形成するためのものである。材料厚が薄いので、これら従来技術の玩具組立要素の目的の１つでもある、玩具組立要素を比較的容易に曲げることができる。玩具組立板の結合スタッドは規則的に列状に配置される。つまり、本来曲げ線として働く平坦領域が列間に設けられ、結合スタッドの列の間のこの平坦領域に沿って曲げ線により切抜き玩具組立要素は容易に曲げられる。
【０００６】
玩具組立板あるいは玩具組立板から作られる玩具組立要素を面支持体上で使用する場合、下方に突出する結合スタッドは組立板／組立要素に一定の高さを与えるが、組立板／組立要素の縁部近くで組立を行うと、組立板／組立要素の縁部に沿う支持体がなく中心側にしかないため組立板／組立要素が傾くリスクがある。
【０００７】
本発明の目的は、一定の高さを持ち、かつ当業で周知の真空整形された玩具組立板より剛性が増強された、組立をどこで行おうとも組立面が安定する真空整形の玩具組立板を提供することにある。
【０００８】
以上のことは、導入部で特徴づけた玩具組立板が前記スペーサ要素と同じ下方範囲を有する下方突出フランジをその周囲に具備するように構成することでもたらされる。
【０００９】
下方突出フランジとスペーサ要素とが同じ下方範囲を持つということは、面支持体上で使用する際、玩具組立板の外側縁部と同様にその内側縁部も支持されることであるから、従来技術の玩具組立板より高度の剛性を示し、かつ組立に対してより安定性もある玩具組立板がもたらされる。
【００１０】
好ましくは、玩具組立板の組立面にある前記結合手段を列状に配置し、かつ下方に突出するスペーサ要素を少なくとも幾つかの自然な曲げ線、すなわち結合手段の列の間の平坦領域が遮断されるように配置する。これによりさらなる剛性が玩具組立板に付与される。
【００１１】
さらに別の実施形態によれば、下方に突出するスペーサ要素は結合スタッドの形を取り、相補的結合手段を持つ玩具組立要素と相互結合される。この下方突出スペーサ要素により、玩具組立板は他の玩具組立要素の頂部に取り付けることができるため、新規な組立の機会を与えることになる。
【００１２】
玩具組立板の組立面にある結合手段は、それぞれが円筒形の結合スタッドか、あるいは周囲に外側結合領域を配した一中央結合スタッドの形を取るのが好ましい。
【００１３】
本発明を添付図面を参照しながら詳細に説明する。
図１はＤＫ−Ａ−１２９，０８０により言及された真空整形の玩具組立板１を示す。玩具組立板１の断面図を与えるため同図においてコーナーは切断してある。
【００１４】
玩具組立板１は組立面２を備え、組立面２は結合スタッド３形式の上方に突出する結合手段と、これに対応する下方に突出する結合スタッド４とを具備する。結合スタッド３、４は列状に構成され、それぞれの列も、各列の個々の結合スタッド３、４も等間隔に配置される。組立板２はそれ自体、結合スタッド３、４の間に板材により構成される。ハッチ帯で示すように、平坦領域５の連続帯が結合スタッド３、４の列の間に存在する。玩具組立板１は、比較的薄いプラスチック材から作られるため玩具組立板の自然な曲げ線を構成する平坦領域５に沿って容易に曲げられる。
【００１５】
図２は本発明による玩具組立板６を示す。図１に示した玩具組立板１と同様に、玩具組立板６も組立面７を備え、組立面７は結合スタッド８形式の上方に突出する結合手段と、下方に突出するスペーサ要素９とを具備する。スペーサ要素９は実際の結合スタッドの形で設けてもよいが、その特徴は本発明を決定するものではない。
【００１６】
以上から明らかなように、玩具組立板６はその周囲に、下方に突出するフランジ１０を具備し、このフランジ１０の下方範囲はスペーサ要素９の範囲に相当する。これにより玩具組立板６はスペーサ要素９と同様にそのフランジ１０を、玩具組立板で遊ぶ時の常套手段である面支持体に置く際の支持として用いることができる。
【００１７】
周囲のフランジ１０は、従来の技術による玩具組立板１に比較すると玩具組立板６に増強された剛性を与える。このことに加えて、組立に他の玩具組立要素を用いる際、玩具組立板６を支持体として用いるとフランジ１０は安定効果をあげる。なぜなら、フランジ１０が周囲全体を支持するため、玩具組立板６は最外部の下方突出スペーサ要素９の近傍で傾かなくなるからだ。
【００１８】
好ましい実施形態によれば、下方に突出するスペーサ要素９は、図１に示した従来技術から周知の平坦領域５の少なくとも幾つかをスペーサ要素８により遮断するように配置される。これにより、１以上の自然の曲げ線は遮断されるから、増強した剛性が玩具組立板６に付与されることになる。
【００１９】
図２に示す実施形態において、スペーサ要素９は上方に突出する結合スタッド８間の対角線に配される。この配置により確実に各スペーサ要素は貫通する平坦領域５を２つの互に直角な方向に遮断する。
【００２０】
さらにスペーサ要素９の直径は、図２の断面に示すようにそれらの垂直壁部１１が結合スタッド８の垂直壁部１２まで上方に連続するように、あるいは同壁部１２まで上方に少なくともほぼ連続するように寸法取りしてある。この玩具組立板６の構成は、結合スタッド８間の対角線方向に連続した平坦領域が存在しないことを意味する。
【００２１】
図３において、玩具組立板６が上から示してある。組立面７、結合スタッド８及びスペーサ要素９が明瞭に示してある。玩具組立板６に規則的に分布するスペーサ要素９が結合スタッド８間の対角線に配置されるので明瞭である。この配置とそれらの直径は、玩具組立板６を横断して結合スタッド８列間を伸長する平坦領域５が存在しないことと、玩具組立板６に相当に増強された剛性が付与される特性とを意味する。
【００２２】
図４は別の玩具組立板１３を示す。同図においてスペーサ要素９の配置と寸法とは変えられ、各要素は小径を有し同列の２つの結合スタッド間に配置されている。このスペーサ要素９の配置も貫通する平坦領域５を遮断し、これにより玩具組立板１３に増強された剛性が付与される。
【００２３】
図５は本発明による玩具組立板１４のさらに別の実施形態を示す。この実施形態において、玩具組立板１４の頂表面にある結合スタッドは、図１乃至４に示した実施形態とは異なる輪郭を持つ。この形態では、結合スタッドは中央の結合スタッド１５とその周りに位置する外側の結合領域１６とから成る。スペーサ要素９は外側結合領域１６間に配置され、図示したスペーサ要素９の直径により、平坦領域５が遮断されている。
【００２４】
スペーサ要素９の配置と寸法とはもちろん所望通りに変更可能である。スペーサ要素９の主たる目的は、玩具組立板を用いる際に支持体との間隔をつくることにある。玩具組立板の周囲のフランジ１０から同組立板に付与される剛性より高度の剛性が所望の場合は、従来技術で周知の平坦領域５をスペーサ要素９の範囲が遮断するように、同要素９を構成して配置できるようにすれば好都合である。
【００２５】
実施例はもっぱら円形のスペーサ要素９を特徴づけるが、もちろん他の輪郭、例えば結合スタッド間に細長い領域の形状などを有することも可能である。
【図面の簡単な説明】
【図１】  従来技術による玩具組立板の部分断面図である。
【図２】  本発明による玩具組立板の部分断面図である。
【図３】  下方に面したスペーサ要素の様々な配置を示す図である。
【図４】  下方に面したスペーサ要素の様々な配置を示す図である。
【図５】  本発明による玩具組立板のさらに別の実施形態を示す図である。
【符号の説明】
１、６、１３、１４  玩具組立板
２、７  組立面
３、４、８  結合スタッド
５  平坦領域
９  スペーサ要素
１０  下方突出フランジ
１１、１２  垂直壁部
１５  中央結合スタッド
１６  外部結合領域
【図１】
0004243917.tif 000002
【図２】
0004243917.tif 000003
【図３】
0004243917.tif 000004
【図４】
0004243917.tif 000005
【図５】
0004243917.tif 000006